(57)【要約】【課題】  電線張力の増大に寄与するシンブル、及び当該シンブルを用いた電線の支持工法を提供する。【解決手段】電線Ｗに取り付けられるグリップ６００を牽引するシンブル１００であって、グリップ６００の一部を取り付けるグリップ用取付部１１０と、シンブル１００を構造物Ｙに連結するための連結具Ｃを取り付ける連結具用取付部１２０と、電線Ｗにグリップ６００を取り付ける際に、電線Ｗを保持する保持具４００を取り付けるための一対の保持具用取付部１３０を備えていることを特徴とする。【選択図】図１
2019126135.tif 000002
【特許請求の範囲】
【請求項１】
電線に取り付けられるグリップを牽引するシンブルであって、
前記グリップの一部を取り付けるグリップ用取付部と、
前記シンブルを構造物に連結するための連結具を取り付ける連結具用取付部と、
前記電線に前記グリップを取り付ける際に、前記電線を保持する保持具を取り付けるための一対の保持具用取付部を備えていることを特徴とするシンブル。
【請求項２】
前記一対の保持具用取付部は、前記グリップ用取付部を挟んで両側に配置されていることを特徴とする請求項１に記載のシンブル。
【請求項３】
前記グリップ用取付部は、前記グリップの一部を取り付けるための貫通部を備え、
前記一対の保持具用取付部は、前記貫通部の貫通軸に対して略直角方向に配置されていることを特徴とする請求項２に記載のシンブル。
【請求項４】
請求項１から３のいずれか一項に記載のシンブルを用いた電線の支持工法であって、
一方の保持具用取付部に、前記電線を保持する第一保持具が取り付けられ、
他方の保持具用取付部に、前記電線を保持する第二保持具が取り付けられ、
前記第一保持具と前記第二保持具を用いて、前記電線を交互に引っ張ることで、前記電線を前記構造物に向けて引張してゆき、
その後、引張された前記電線に前記グリップを取り付けることを特徴とする電線の支持工法。
【発明の詳細な説明】
【技術分野】
【０００１】
本願発明は、電線等の支線を牽引する際に用いられるシンブルに関する。
【背景技術】
【０００２】
従来から、電線等の支線は、規定の電線張力を満たすように引張された状態で、電柱等の構造物に碍子等の連結具を介して支持されていた。その際に、連結具と、電線を把持しているグリップとの間に取り付けられて、グリップを牽引するシンブルが利用されてきた。このシンブルは、様々な種類のものが知られているが（例えば、実用新案登録第３１７６５６５号が知られている）、基本的には、グリップの一部を取り付けるグリップ用取付部と、連結具を取り付ける連結具用取付部を備えるものである。
【０００３】
では、図６を参照して、シンブルの使用態様について説明する。まず、図６（ａ）に示すように、保持具３００によって、電線Ｗを電柱等の構造物Ｙに向けて引っ張って保持する。この保持具３００は、構造物Ｙに巻き付けて固定された固定ワイヤ３１０と、電線Ｗを把持する把持部（カムラー）３２０と、固定ワイヤ３１０と把持部３２０とを繋ぐ引張ワイヤ３３０と、引張ワイヤ３３０を巻き取る巻取部（シメラー）３４０とからなる。そして、構造物Ｙに登って作業を行う作業者は、手の届く範囲で把持部３２０を電線Ｗに取り付け、その状態で、巻取部３４０を駆動して引張ワイヤ３３０を巻き取っていけば、電線Ｗが構造物Ｙに向けて強く引き込まれて保持されるのである。
【０００４】
次に図６（ｂ）に、従来のシンブル５００の全体斜視図を示す。このシンブル５００は、略Ｕ字状の溝で形成されたグリップ用取付部５１０と、碍子等の連結具Ｃの先端の環状部Ｒに差し込まれて固定されるピン形状の連結具用取付部５２０とを備える。また、図７（ａ）には、グリップ６００の全体平面図を示す。このグリップ６００は、従来から利用されているもので（例えば、特願２０１５−１２００５３が知られている。）、略Ｕ字状の末端部６１０と、この末端部６１０から延びる２本の螺旋状に形成された先端部６２０とを備える。
【０００５】
そして、図７（ｂ）に示すように、シンブル５００のグリップ用取付部５１０に、グリップ６００の末端部６１０を巻き付けるように取り付け、その状態で、２本の螺旋状の先端部６２０を電線Ｗに交互に巻き付けていくのである。その後、保持具３００を取り外せば、シンブル５００が電線Ｗに取り付けられたグリップ６００を牽引し、電線Ｗを支持する状態が完成する。
【０００６】
ただ、この電線Ｗを支持する作業中において、作業者の手の届く範囲は限られており、把持部３２０の取り付け位置も構造物Ｙに近いことから、巻取部３４０で引張ワイヤ３３０を引っ張っても、電線Ｗを引き込める量に限界があり、規定の電線張力に到達しない場合もあった。また、規定の電線張力を得るために、引張ワイヤ３３０を更に巻き付けて強く電線Ｗを引っ張ると、図７（ｂ）に示すように、把持部３２０が構造物Ｙに更に引き付けられるため、グリップ６００の先端部６２０に干渉してしまい、グリップ６００の先端部６２０を電線Ｗに巻き付けるだけのスペースが確保できない場合もある。
【先行技術文献】
【特許文献】
【０００７】
【特許文献１】実用新案登録第３１７６５６５号
【発明の概要】
【発明が解決しようとする課題】
【０００８】
よって、本願発明は、上記問題に鑑み、電線張力の増大に寄与するシンブル、及び当該シンブルを用いた電線の支持工法を提供する。
【課題を解決するための手段】
【０００９】
上記課題を解決するために、本願発明のシンブルは、電線に取り付けられるグリップを牽引するシンブルであって、前記グリップの一部を取り付けるグリップ用取付部と、前記シンブルを構造物に連結するための連結具を取り付ける連結具用取付部と、前記電線に前記グリップを取り付ける際に、前記電線を一時的に保持する保持具を取り付けるための一対の保持具用取付部を備えていることを特徴とする。
【００１０】
上記特徴によれば、一対の保持具用取付部を備えているため、この保持具用取付部のそれぞれに２つの保持具を取り付けて電線を引き込むことができる。そして、２つの保持具を用いることで、電線を引き込む量が増え、従来と比較して、電線張力をより増大させることができる。したがって、本願発明のシンブルは、電線張力の増大に寄与するのである。
【００１１】
さらに、本願発明のシンブルによれば、保持具を取り付ける保持具用取付部とグリップを取り付けるグリップ用取付部の両方が、シンブルに備わっている。そのため、従来と比較して、電線を一時的に保持している保持具の引張方向と、電線を支持しているグリップの引張方向とのズレが少なく、電線張力をより増大させることができる。
【００１２】
さらに、本願発明のシンブルは、前記一対の保持具用取付部は、前記グリップ用取付部を挟んで両側に配置されていることを特徴とする。
【００１３】
上記特徴によれば、保持具用取付部に取り付けられた２つの保持具によって両側からバランス良く引っ張られた電線の位置と、シンブルのグリップ用取付部の位置が近くなり、その両者の位置のズレが少なくなることで、保持具を外した後の電線の撓みも抑えられ、電線張力をより増大させることができる。また、グリップ用取付部の位置と電線の位置のズレが少ないので、グリップ用取付部に取り付けたグリップを電線に取り付けやすい。さらに、一対の保持具用取付部がグリップ用取付部の両側に配置されているので、それぞれの保持具用取付部に取り付けられた保持具同士が干渉しにくく作業が行いやすい。
【００１４】
さらに、本願発明のシンブルは、前記グリップ用取付部は、前記グリップの一部を取り付けるための貫通部を備え、前記一対の保持具用取付部は、前記貫通部の貫通軸に対して略直角方向に配置されていることを特徴とする。
【００１５】
上記特徴によれば、グリップの取り付け作業時等の電線の撓みが抑えられ、電線張力をより増大させることができる。
【００１６】
さらに、本願発明の支持工法は、本願発明のシンブルを用いた電線の支持工法であって、一方の保持具用取付部に、前記電線を保持する第一保持具が取り付けられ、他方の保持具用取付部に、前記電線を保持する第二保持具が取り付けられ、前記第一保持具と前記第二保持具を用いて、前記電線を交互に引っ張ることで、前記電線を前記構造物に向けて引張してゆき、その後、引張された前記電線に前記グリップを取り付けることを特徴とする。
【００１７】
上記特徴によれば、一方の保持具用取付部に取り付けられた保持具と他方の保持具用取付部に取り付けられた第二保持具を用いて、電線をシンブルに向けて交互にたぐり寄せるように引っ張ることで、従来と比較して、電線をより強く引張して電線張力を増大させることができる。
【発明の効果】
【００１８】
本願発明のシンブル、及び当該シンブルを用いた電線の支持工法は、電線張力の増大に寄与する。
【図面の簡単な説明】
【００１９】
【図１】（ａ）は本願発明のシンブルの平面図、（ｂ）は当該シンブルの側面図、（ｃ）は当該シンブルの正面図、（ｄ）は当該シンブルの背面図である。
【図２】電柱等の構造物の高所に碍子等の連結具を介して電線を支持する様子を示す側面図である。
【図３】電柱等の構造物の高所に碍子等の連結具を介して電線を支持する様子を示す側面図である。
【図４】電柱等の構造物の高所に碍子等の連結具を介して電線を支持する様子を示す側面図である。
【図５】電柱等の構造物の高所に碍子等の連結具を介して電線を支持する様子を示す側面図である。
【図６】本願発明における従来技術を示すもので、（ａ）は電柱等の構造物の高所に碍子等の連結具を介して電線を支持する様子を示す側面図、（ｂ）はシンブルの斜視図である。
【図７】本願発明における従来技術を示すもので、（ａ）はグリップの平面図、（ｂ）は電柱等の構造物の高所に碍子等の連結具を介して電線を支持する様子を示す側面図である。
【符号の説明】
【００２０】
１００        シンブル
１１０        グリップ用取付部
１２０        連結具用取付部
１３０        保持具用取付部
４００        保持具
６００        グリップ
Ｃ            連結具
Ｗ            電線
Ｙ            構造物
【発明を実施するための形態】
【００２１】
以下に、本願発明の実施の形態について、図面を用いて説明する。なお、以下の説明において参照する各図の形状は、好適な形状寸法を説明する上での概念図又は概略図であり、寸法比率等は実際の寸法比率とは必ずしも一致しない。つまり、本願発明は、図面における寸法比率に限定されるものではない。
【００２２】
まず、図１に本願発明のシンブル１００を示す。図１（ａ）は当該シンブル１００の平面図、図１（ｂ）はシンブル１００の側面図、図１（ｃ）はシンブル１００の正面図、図１（ｄ）は背面図である。なお、図１（ａ）及び（ｂ）は、グリップ用取付部１１０にグリップ６００を取り付けた状態を示しており、グリップ６００は仮想線で示されている。
【００２３】
シンブル１００は金属製であり、グリップ６００の一部である末端部６１０を取り付けるグリップ用取付部１１０と、碍子等の連結具を取り付ける連結具用取付部１２０と、電線を一時的に保持する保持具を取り付けるための保持具用取付部１３０とを備える。このグリップ用取付部１１０は、上下に貫通した貫通部１１１を備え、当該貫通部１１１の一部の内面１１２は、グリップ６００の末端部６１０（図１（ｂ）参照）の略Ｕ字形状に対応するように、略Ｕ字形状に滑らかに湾曲している。したがって、図１（ｂ）に示すように、グリップ６００の末端部６１０は、内面１１２に沿って巻き付けられるように取り付けられる。また、貫通部１１１は、貫通軸Ｐに沿って上下に貫通しており、グリップ用取付部１１０に取り付けられたグリップ６００の末端部６１０も貫通軸Ｐに沿って上下方向へ巻き付けられている。
【００２４】
次に、連結具用取付部１２０は、グリップ用取付部１１０から側方に延出した２つの延出部１２１を備え、当該延出部１２１の中央には取付孔１２２が形成されている。この相対する延出部１２１の間隔は、連結具Ｃの環状部Ｒ（図６（ａ）参照）の幅以上となっているので、連結具Ｃの環状部Ｒを延出部１２１の間へ差し込むことができる。そして、環状部Ｒの孔と取付孔１２２を上下に一致させた状態で、ピン形状の固定具を貫通させて固定すれば、連結具Ｃとシンブル１００が強固に固定されるのである。
【００２５】
次に、一対の保持具用取付部１３０は、グリップ用取付部１１０を挟んでグリップ用取付部１１０の両側に配置されている。この保持具用取付部１３０はリング形状をしており、このリング部分に、後述する保持具の接続部を着脱可能に取り付けることができる。また、この保持具用取付部１３０は、グリップ用取付部１１０の貫通部１１１の貫通軸Ｐに対して略直角方向へ配置されている。
【００２６】
また、図１（ｂ）に示すように、グリップ用取付部１１０の幅Ｌ１は、末端に向けて次第に広くなっている。より具体的には、グリップ６００の末端部６１０が貫通部１１１の貫通軸Ｐに沿って挿通されているが、その貫通軸Ｐ方向におけるグリップ用取付部１１０の幅Ｌ１が、末端に向けて次第に広くなっているのである。その理由について説明すると、まず、グリップ６００が取り付けられた電線Ｗに風などの外力が加わると、グリップ６００は押されたり引っ張られたりして、末端部６１０のＵ字状の湾曲部分の径が拡がるように変形する。そのため、変形した末端部６１０の幅Ｌ２とグリップ用取付部１１０の幅Ｌ１とが大きく離れると、末端部６１０とグリップ用取付部１１０との間に大きな隙間が出来てしまう。そして、末端部６１０は、その隙間において、幅Ｌ２が大きくなる又は小さくなるように変形できる。すると、末端部６１０には、変形による大きな応力がかかり、やがて破断する虞がある。そこで、グリップ用取付部１１０の末端側が次第に広くなるようにして、末端部６１０の幅Ｌ２とグリップ用取付部１１０の幅Ｌ１とが大きく離れないようにし、両者の隙間を小さくする。すると、末端部６１０が変形できる範囲は狭くなるので、末端部６１０にかかる応力を小さくでき、末端部６１０が破断することを防止できるのである。また、グリップ用取付部１１０の末端側だけ部分的に幅を広くすることで、シンブル１００全体の重量の軽量化に寄与している。
【００２７】
なお、保持具用取付部１３０は２つ設けられて対になっているが、これに限定されず、用途に応じて、対になった保持具用取付部１３０と、それ以外の保持具用取付部１３０を設けて、合計３つ以上の保持具用取付部１３０を設けてもよい。また、一対の保持具用取付部１３０がグリップ用取付部１１０を挟んで両側に配置されているが、これに限定されず、一対の保持具用取付部１３０の両方をグリップ用取付部１１０の片側にまとめて配置してもよい。また、一対の保持具用取付部１３０は、グリップ用取付部１１０の貫通部１１１の貫通軸Ｐに対して略直角方向へ配置されているが、これに限定されず、例えば保持具用取付部１３０を貫通軸Ｐの軸方向と同じ方向に配置するなど、任意の配置とすることができる。
【００２８】
では次に、図２から図５を参照して、本願発明のシンブル１００を用いて電線Ｗを支持する工法について説明する。なお、図２から図５は電柱等の構造物Ｙの高所に碍子等の連結具Ｃを介して電線Ｗを支持する様子を示す側面図である。また、従来と同様に電線の支持工法には、連結具C及びグリップ６００を使用する。
【００２９】
まず、図２に示すように、構造物Ｙに固定された連結具Ｃの環状部Ｒに、シンブル１００の連結具用取付部１２０がピン形状の固定具Ｑによって固定されている。具体的には、連結具Ｃの環状部Ｒの孔と連結具用取付部１２０の取付孔１２２（図１（ａ）参照）を上下に一致させた状態で固定具Ｑを貫通させて、連結具Ｃとシンブル１００を固定している。そのため、シンブル１００は、固定具Ｑを中心に回動できる状態となっている。
【００３０】
次に、第一保持具４００Ａによって、電線Ｗを構造物Ｙに向けて引っ張って保持する。この第一保持具４００Ａは、電線Ｗを把持する把持部４２０Ａ（カムラー）と、当該把持部４２０Ａに連結された引張ワイヤ４３０Ａと、当該引張ワイヤ４３０Ａを巻き取る巻取部４４０Ａ（シメラー）と、当該巻取部４４０Ａに連結された接続部４１０Ａとを備える。この接続部４１０Ａはフック形状をしており、シンブル１００の保持具用取付部１３０に着脱可能に連結できる。
【００３１】
そして、構造物Ｙに登っている作業者は、まず、一方の保持具用取付部１３０に接続部４１０Ａを取り付けると共に、手の届く範囲で出来るだけ構造物Ｙから離して、把持部４２０Ａを電線Ｗに取り付ける。次に、その状態で、巻取部４４０Ａを駆動して引張ワイヤ４３０Ａを巻き取っていく。すると、電線Ｗが構造物Ｙに向けて強く引っ張られて保持されることになる。
【００３２】
そして、引張ワイヤ４３０Ａをある程度巻き取った後、図３に示すように、作業者は第二保持具４００Bを電線Ｗに取り付けて、電線Ｗを構造物Ｙに向けて再び引っ張って保持する。なお、この第二保持具４００Bは第一保持具４００Ａと同じ構造をしている。
【００３３】
具体的には、作業者は、第二保持具４００Bの接続部４１０Ｂをシンブル１００の保持具用取付部１３０に取り付ける。この接続部４１０Ｂを取り付ける保持具用取付部１３０は、第一保持具４００Ａの接続部４１０Ａが取り付けられた保持具用取付部１３０とは異なっている。つまり、一方の保持具用取付部１３０には第一保持具４００Ａを取り付け、他方の保持具用取付部１３０には第二保持具４００Bを取り付けるのである。そして、作業者は手の届く範囲で把持部４２０Ｂを、第一保持具４００Ａの把持部４２０Ａよりも遠い電線Ｗの箇所に取り付け、その状態で、巻取部４４０Ｂを駆動して引張ワイヤ４３０Ｂを巻き取っていく。すると、電線Ｗが構造物Ｙに向けて強く引っ張られて保持されるのである。
【００３４】
なお、第二保持具４００Bの把持部４２０Ｂは、第一保持具４００Ａの把持部４２０Ａよりもシンブル１００に対して離れた位置に取り付けられ、その状態で、引張ワイヤ４３０Ｂが巻き取られている。そのため、図３に示すように、第二保持具４００Bよりもシンブル１００に近い第一保持具４００Ａは張力が無くなり、撓んだ状態となる。
【００３５】
次に、引張ワイヤ４３０Ｂをある程度巻き取った後、作業者は把持部４２０Ａを取り外す。そして、図４に示すように作業者は、その把持部４２０Ａを第二保持具４００Bの把持部４２０Ｂよりも遠い電線Ｗの箇所に取り付け、その状態で、巻取部４４０Ａを駆動して引張ワイヤ４３０Ａを巻き取っていく。すると、電線Ｗが構造物Ｙに向けて更に強く引っ張られて保持されるのである。なお、第一保持具４００Ａの把持部４２０Ａは、第二保持具４００Bの把持部４２０Ｂよりもシンブル１００に対して離れた位置に取り付けられ、その状態で、引張ワイヤ４３０Ａが巻き取られている。そのため、図４に示すように、第一保持具４００Ａよりもシンブル１００に近い第二保持具４００Bは張力が無くなり、撓んだ状態となる。
【００３６】
そして、作業者は、電線が規定の電線張力に達するまで、巻取部４４０Ａを駆動して引張ワイヤ４３０Ａを巻き取る。その後、図５に示すように、撓んだ状態の第二保持具４００Bを取り外し、グリップ６００の取り付け作業に移行する。
【００３７】
作業者は、グリップ６００の片側の先端部６２０から、シンブル１００のグリップ用取付部１１０の貫通部１１１にグリップ６００を挿通させてゆき、図５に示すように、末端部６１０が貫通部１１１に巻き付くように、グリップ６００をシンブル１００に取り付ける（末端部６１０が貫通部１１１に巻き付くように取り付けられた状態は、図１（ｂ）にも示してある）。その状態で、２本の先端部６２０を交互に電線Ｗへ螺旋状に巻き付けていくことで、グリップ６００が電線Ｗに取り付けられる。これにより、シンブル１００が電線Ｗに取り付けられたグリップ６００を牽引し、電線Ｗを安定的に支持した状態が完成する。なお、このグリップ６００の取り付け作業が完了したら、第一保持具４００Ａも取り外す。また、第一保持具４００Ａと第二保持具４００Ａを用いて交互に電線Ｗをたぐり寄せる回数に制限は無く、電線が規定の電線張力に達するまで、任意の回数だけ実施してもよい。
【００３８】
このように、本願発明のシンブル１００によれば、一対の保持具用取付部１３０を備えているため、この保持具用取付部１３０に２つの保持具（第一保持具４００Ａ、第二保持具４００B）を取り付けて電線Ｗを引き込むことができる。そして、２つの保持具を用いることで、電線Ｗを引き込める量が増え、従来と比較して、電線張力をより増大させることができる。したがって、本願のシンブル１００は、電線張力の増大に寄与するのである。
【００３９】
また、本願発明のシンブル１００によれば、保持具を取り付ける保持具用取付部１３０とグリップ６００を取り付けるグリップ用取付部１１０の両方が、シンブル１００に備わっている。そのため、従来と比較して、電線Ｗを一時的に保持している保持具の引張方向と、電線Ｗを支持しているグリップ６００の引張方向とのズレが少なく、電線張力をより増大させることができる。具体的には、従来の図７では、保持具３００はシンブル５００ではなく、シンブル５００とは独立した構造物Ｙに直接取り付けられているので、保持具３００が電線Ｗを引張している引張方向Ｋと、グリップ６００が電線Ｗを引張している引張方向Ｉとが、互いに離れてズレている。そのため、グリップ６００を電線Ｗに取り付けた後に、電線Ｗを引っ張っている保持具３００を取り外すと（つまり、電線Ｗを引っ張って保持している物が、保持具３００からグリップ６００に切り替わると）、このズレが緩みとなって、電線張力が弱くなってしまう。
【００４０】
しかしながら、本願発明のシンブル１００では、保持具を取り付ける保持具用取付部１３０とグリップ６００を取り付けるグリップ用取付部１１０の両方がシンブル１００に備わっているので、図５に示すように、第一保持具４００Ａが電線Ｗを引張している引張方向Ｋと、グリップ６００が電線Ｗを引張している引張方向Ｉとが、従来の図７と比較してより近くなり、ほぼ同じ方向を向いているので、両者のズレがより少ない。そのため、図５に示すように、グリップ６００を電線Ｗに取り付けた後に第一保持具４００Ａを取り外しても（つまり、電線Ｗを引っ張って保持している物が、第一保持具４００Ａからグリップ６００に切り替わっても）、ズレが少ないので緩みも抑えられ、従来と比較して電線張力をより増大させることができるのである。
【００４１】
さらに、本願発明のシンブル１００によれば、一対の保持具用取付部１３０がグリップ用取付部１１０を挟んでグリップ用取付部１１０の両側に配置されているので、第一保持具４００Ａ及び第二保持具４００Bによって引っ張られた電線Ｗの位置とグリップ用取付部１１０の位置が近くなり、電線張力をより増大させることができる。
【００４２】
具体的には、図２から図４に示すように、一方の保持具用取付部１３０に取り付けられた第一保持具４００Ａと、他方の保持具用取付部１３０に取り付けられた第二保持具４００Bによって、グリップ用取付部１１０の両側から電線Ｗをバランス良く引っ張るので、図４に示すように、一対の保持具用取付部１３０の中間にあるグリップ用取付部１１０が、電線Ｗから逸れた方向に向かうことなく、電線Ｗに向かってより近づけられ、グリップ用取付部１１０の位置と電線Ｗの位置のズレが少なくなるのである。そして、図５に示すように、グリップ６００の末端部６１０をグリップ用取付部１１０に取り付けるが、このズレが少ないことで、第一保持具４００Ａを外した後の電線Ｗの撓みも抑えられるので、電線張力をより増大させることができるのである。また、グリップ用取付部１１０の位置と電線Ｗの位置のズレが少ないので、グリップ用取付部１１０に取り付けたグリップ６００を、電線Ｗに取り付けやすい。
【００４３】
また、一対の保持具用取付部１３０がグリップ用取付部１１０を挟んでグリップ用取付部１１０の両側に配置されているので、それぞれの保持具用取付部１３０に取り付けられた第一保持具４００Ａ及び第二保持具４００B同士が干渉しにくく作業が行いやすい。
【００４４】
さらに、本願発明のシンブル１００によれば、一対の保持具用取付部１３０が、グリップ用取付部１１０の貫通部１１１の貫通軸Ｐに対して略直角に配置されているので、グリップ６００の取り付け作業時等の電線Ｗの撓みが抑えられ、電線張力をより増大させることができる。
【００４５】
具体的には、図５に示すように、シンブル１００のグリップ用取付部１１０にグリップ６００の末端部６１０が取り付けられた状態で、先端部６２０の電線Ｗへの巻き付け作業等を行う場合、電線Ｗや第一保持具４００Ａが揺れたりすることで、シンブル１００の保持具用取付部１３０に外力がかかり、保持具用取付部１３０は引っ張られたり押されたりすることがある。ただ、図１に示すように、保持具用取付部１３０は貫通軸Ｐに対して略直角に配置されているので、保持具用取付部１３０が引っ張られたり押されたりして外力が加えられると、保持具用取付部１３０に隣接するグリップ用取付部１１０は貫通軸Ｐ周りに回動しやすい。そして、図１（ａ）及び（ｂ）に示すように、グリップ用取付部１１０が貫通軸Ｐ周りに回動しても、グリップ用取付部１１０に巻き付けるように取り付けられたグリップ６００は、貫通部１１１の内面１１２上を滑るだけで、その取り付けられた状態の位置・姿勢はズレにくい。そのため、グリップ６００の位置・姿勢がズレにくいため、そのズレから生じる電線Ｗの撓みも抑えられ、電線張力をより増大させることができるのである。
【００４６】
なお仮に、保持具用取付部１３０が貫通軸Ｐ方向に沿うように配置されている場合は、保持具用取付部１３０が引っ張られると、グリップ用取付部１１０は貫通軸Ｐに沿って移動してしまう。すると、グリップ用取付部１１０に取り付けられたグリップ６００も共に、貫通軸Ｐに沿って移動してしまうのである。その結果、グリップ６００の位置・姿勢がズレやすくなってしまう。
【００４７】
さらに、本願発明のシンブル１００を用いた電線Ｗの支持工法によれば、図２から図５に示すように、一方の保持具用取付部１３０に取り付けられた第一保持具４００Ａと他方の保持具用取付部１３０に取り付けられた第二保持具４００Bを用いて、電線Ｗをシンブル１００に向けて交互にたぐり寄せるように引っ張ることで、従来と比較して、電線Ｗをより強く引張して電線張力を増大させることができる。また、第一保持具４００Ａと第二保持具４００Bを交互に手繰り寄せるように引っ張ることから、第一保持具４００Ａと第二保持具４００Bの１回あたりの手繰り寄せる量（距離）は少なくて済む。その結果、図５に示すように、第一保持具４００の把持部４２０Ａとシンブル１００との距離をある程度確保することができるため、グリップ６００の先端部６２０を最後まで電線Ｗに巻き付けるスペースを確保しやすいのである。
【００４８】
なお、本願発明のシンブル、及び当該シンブルを用いた電線の支持工法は、上記の実施例に限定されず、特許請求の範囲に記載された範囲、実施形態の範囲で、種々の変形例、組み合わせが可能であり、これらの変形例、組み合わせもその権利範囲に含むものである。
【図１】
2019126135.tif 000003
【図２】
2019126135.tif 000004
【図３】
2019126135.tif 000005
【図４】
2019126135.tif 000006
【図５】
2019126135.tif 000007
【図６】
2019126135.tif 000008
【図７】
2019126135.tif 000009